(57)【要約】  少なくとも一つの膨張式構造要素と発光体１２０を有するユーザ１０２の少なくとも一部を囲むように適応される身体照明装置１００が提供される。少なくとも一つの膨張式構造要素は第一の膨張式構造要素１１０を含む。第一の膨張式構造要素１１０は第一の壁１１４を有する第一の膨張式チャンバ１１２を有する。発光体１２０は当該第一の壁１１４上にあるか若しくはそれと一体的に形成され、ユーザ１０２へ光を供給するためのものである。身体照明装置１００はしぼんだ状態で容易に保管され得る。さらに、身体照明装置１００は相対的に高価な構造部品を要しないので、費用効率よく提供され得る。付加的に、装置１００は取り扱いが容易であり得る。装置１００はユーザ１０２へ治療光を供給するステップを有する治療の方法において使用され得る。治療は特に乾癬、湿疹若しくは皮膚癌の治療であり得る。
2017509422.tif 000002
【特許請求の範囲】
【請求項１】
ユーザの少なくとも一部を囲むように適応される身体照明装置であって、
第一の壁を有する第一の膨張式チャンバと、
前記ユーザへ光を供給するための、前記第一の壁の内面上の若しくは前記第一の壁と一体的に形成される発光体と、
第二の壁であって、光が当該第二の壁を通じて前記ユーザへ供給され得るように前記発光体によって発せられる光を透過する、第二の壁と
を有する、第一の膨張式構造要素を含む、少なくとも一つの膨張式構造要素
を有する、身体照明装置。
【請求項２】
前記第一の壁が前記第二の壁に面する、請求項１に記載の身体照明装置。
【請求項３】
前記身体照明装置が前記ユーザの四肢、胴体、首若しくは頭の少なくとも一つを囲むように適応される、請求項２に記載の身体照明装置。
【請求項４】
使用中に四肢、胴体、首若しくは頭が前記少なくとも一つの膨張式構造要素によって囲まれ、それによって前記装置を膨張されるときに四肢、胴体、首若しくは頭に固定する、請求項３に記載の身体照明装置。
【請求項５】
前記身体照明装置が、好適にはユーザが歩いて中へ入ることができるキャビンを形成することによって、前記ユーザを囲むように適応される、請求項２に記載の身体照明装置。
【請求項６】
前記第一の膨張式構造要素が、反射された及び／又は拡散された光が前記第二の壁を通じて前記ユーザへ供給されるように光を反射する及び／又は拡散させるための反射体及び／又は拡散体をさらに有する、請求項１から５のいずれか一項に記載の身体照明装置。
【請求項７】
前記少なくとも一つの膨張式構造要素を膨張させるための空気ポンプをさらに有する、請求項１から６のいずれか一項に記載の身体照明装置。
【請求項８】
前記少なくとも一つの膨張式構造要素が使用中に前記ユーザを冷却するように構成される排気部を有する、請求項７に記載の身体照明装置。
【請求項９】
前記発光体がソリッドステート照明素子を有する、請求項１から８のいずれか一項に記載の身体照明装置。
【請求項１０】
前記発光体が前記第一の膨張式構造要素の前記第一の壁と一体的に形成される、請求項９に記載の身体照明装置。
【請求項１１】
前記少なくとも一つの膨張式構造要素が、前記ユーザと前記発光体との間に熱クッションを提供するために第二の膨張式構造要素をさらに有し、前記第二の膨張式構造要素は少なくとも部分的に光を透過する、請求項１から１０のいずれか一項に記載の身体照明装置。
【請求項１２】
前記発光体を駆動するための駆動回路とユーザインターフェースを有するコントローラをさらに有する、請求項１から１１のいずれか一項に記載の身体照明装置。
【請求項１３】
ユーザの少なくとも一部を囲むステップと、
少なくとも一つの膨張式構造要素を膨張させるステップと、
発光体へ電力を供給するステップと、
ユーザへ治療光を供給するステップと
を有する治療の方法における、請求項１から１２のいずれか一項に記載の身体照明装置の使用。
【請求項１４】
前記治療が乾癬、湿疹若しくは皮膚癌の患者に提供される、請求項１３に記載の身体照明装置の使用。
【発明の詳細な説明】
【技術分野】
【０００１】
本発明は生体に光を供給するための身体照明装置に関する。
【背景技術】
【０００２】
本発明は光線療法を可能にする装置にとって特に関心がある。光による皮膚の治療、例えば尋常性乾癬湿疹、若しくは皮膚癌の治療のための様々な装置が知られている。これらの装置は保管が難しく、取り扱いが難しく、及び／又は比較的高価であり得る。
【発明の概要】
【発明が解決しようとする課題】
【０００３】
保管と使用が容易であり、比較的費用効率のよい身体照明装置を提供することが有利であり得る。
【課題を解決するための手段】
【０００４】
本発明は請求項によって定義される。
【０００５】
本発明によれば、ユーザの少なくとも一部を囲むように適応される身体照明装置が提供される。身体照明装置は、第一の壁を有する第一の膨張式チャンバ、ユーザに治療光などの光を供給するための、当該第一の壁上の若しくは当該第一の壁と一体的に形成される発光体、及び、光が第二の壁を通じてユーザに供給されることができるように発光体によって発せられる光を透過する第二の壁を有する、第一の膨張式構造要素を含む、少なくとも一つの膨張式構造要素を有する。
【０００６】
この身体照明装置はしぼんだ状態で容易に保管され得る。さらに、この身体照明装置は比較的高価な構造部品を要しないので、費用効率よく提供され得る。付加的に、装置は取り扱いが容易であり得る。
【０００７】
身体照明装置はユーザの四肢、胴体、首若しくは頭の少なくとも一つを囲むように適応され得る。
【０００８】
かかる装置はユーザにとって比較的快適であり得、特に従来技術の身体照明装置によって提供され得るピンチポイントが回避され得る。さらに、しぼんだときに装置とユーザの間に大きなクリアランスがあり得るので、装置はユーザ上に都合よく快適に位置することができる。これは例えば乾癬によってユーザの皮膚が損傷している場合に特に重要であり得る。さらに、この装置はフリーサイズ形式で提供され得（これは簡便さを提供し得る）、装置は一体的であり得、装置は比較的費用効率よくなり得、消費者購買決定が容易になり得る。従って、かかる装置は在宅療法に特に適切であり得る。
【０００９】
使用中、ユーザの四肢、胴体、首若しくは頭は少なくとも一つの膨張式構造要素によって囲まれ得る。
【００１０】
代替的に、身体照明装置はユーザを囲むように適応され得る。例えば、身体照明装置はユーザがその中で立つ及び／又は横になることができるキャビン（客室）を形成するように適応され得る。かかる装置はユーザを囲むことができる従来技術の身体照明装置と比較して設置が容易であり、比較的軽量であり得る。
【００１１】
発光体は第一の膨張式構造要素の基部に設けられ得る。かかる配置は第一の膨張式構造要素が発光体の重量を支える必要がないので有利であり得る。
【００１２】
第一の膨張式構造要素は、光が第二の壁を通じてユーザへ供給され得るように光を透過する第二の壁をさらに有し、発光体は第一の壁の内面上にあるか若しくは第一の壁と一体的に形成され得る。
【００１３】
第一の壁は第二の壁に面し得る。これは光が発光体からユーザの皮膚へ効率的に進むことを可能にし得る。
【００１４】
第一の膨張式構造要素は、反射された及び／又は拡散された光が第二の壁を通じてユーザへ供給され得るように、光を反射する及び／又は拡散させるための反射体及び／又は拡散体をさらに有し得る。
【００１５】
これは大きな発光効率及び／又は光出力のより均等な分布を持つ装置を提供し得る。
【００１６】
身体照明装置は少なくとも一つの膨張式構造要素を膨張させるための空気ポンプをさらに有し得る。これは少なくとも一つの膨張式構造要素の容易な膨張を可能にし得る。
【００１７】
少なくとも一つの膨張式構造要素は使用中にユーザを冷却するように構成される排気部を有し得る。これはユーザにより快適な経験を提供し得る。
【００１８】
発光体はソリッドステート照明素子を有し得る。特に、発光体はＬＥＤを有し得る。
【００１９】
ソリッドステート照明素子は第一の膨張式構造要素の第一の壁と一体的に形成され得る。これはその保管若しくは取り付け構成において滑らかなプロファイルを持つ装置を提供し得る。
【００２０】
少なくとも一つの膨張式構造要素はユーザと発光体の間に熱クッションを提供するために第二の膨張式構造要素をさらに有し得る。第二の膨張式構造要素は少なくとも部分的に光を透過する。これは、熱クッションがユーザに達する発光体からの熱の量を削減することができるので、ユーザにより快適な経験を提供し得る。
【００２１】
身体照明装置は発光体を駆動するための駆動回路とユーザインターフェースとを有するコントローラをさらに有し得る。
【００２２】
上記装置を用いてユーザへ治療光を供給するステップを有する治療方法も提供される。
【００２３】
従って、上記身体照明装置は以下のステップを有する治療の方法において使用するためのものである：
ユーザの少なくとも一部を囲むステップ、
少なくとも一つの膨張式構造要素を膨張させるステップ、
発光体へ電力を供給するステップ、
治療光をユーザへ供給するステップ。
【００２４】
治療は例えば乾癬、湿疹、若しくは皮膚癌の治療であり得る。
【００２５】
本発明の実施例が添付の図面を参照して詳細に記載される。
【図面の簡単な説明】
【００２６】
【図１】ユーザの四肢上の使用中の身体照明装置の略斜視図を示す。
【図２】同様に使用中の図１の身体照明装置の略断面図を示す。
【図３】しぼんだ状態の図１の身体照明装置の略断面図を示す。
【図４】別の身体照明装置の略断面図を示す。
【図５】別の身体照明装置の略斜視図を示す。
【図６】図５の身体照明装置の略平面図を示す。
【図７】図５の身体照明装置の略断面図を示す。
【図８】図５の身体照明装置の略拡大図を示す。
【図９】別の身体照明装置の略断面図を示す。
【発明を実施するための形態】
【００２７】
本発明は少なくとも一つの膨張式構造要素と発光体を有する、ユーザの少なくとも一部を囲むように適応される身体照明装置を提供する。少なくとも一つの膨張式構造要素は第一の膨張式構造要素を含む。第一の膨張式構造要素は第一の壁を有する第一の膨張式チャンバを有する。発光体は当該第一の壁上にあるか若しくは当該第一の壁と一体的に形成され、例えば光治療を実施するためにユーザへ光を供給するためのものである。
【００２８】
図１から３は概して１００と示される身体照明装置を示す。身体照明装置１００はユーザ１０２の少なくとも一部を囲むように適応される。身体照明装置１００は第一の膨張式構造要素１１０を含む少なくとも一つの膨張式構造要素を有する。図２に図示の通り、第一の膨張式構造要素１１０は第一の壁１１４を有する第一の膨張式チャンバ１１２を有する。身体照明装置１００はユーザ１０２へ光を供給するための上記第一の壁１１４上の発光体１２０も有する。代替的に、発光体１２０は第一の壁１１４と一体的に形成され得る。このように、発光体を含む少なくとも一つの膨張可能な要素がある。
【００２９】
膨張可能な構造の使用は様々な利点を持つ。下記から明らかになる通り、異なるデザインから異なる利点が得られる。一部のデザインは構造がそれ自体をユーザのエリアのサイズと形状に適応させるように構造をユーザのそのエリアまわりで膨張させることを可能にするので、単一のデザインが異なる患者のサイズのために使用されることを可能にする。一部のより大きなデザインはより容易な保管のために構造を収縮させることを可能にする。
【００３０】
特に、身体照明装置１００を使用しないとき、少なくとも一つの膨張式構造要素は収縮され得、これは小型の身体照明装置１００を提供し、これは従って容易に保管され得る。
【００３１】
さらに、この身体照明装置１００は比較的高価な構造部品を要しないので、身体照明装置１００は費用効率よく提供され得る。
【００３２】
付加的に、装置１００はユーザ１０２へ光を供給するために単純に少なくとも一つの膨張式構造要素を膨張させ、発光体１２０のスイッチを入れることによって使用され得るので、身体照明装置１００は取り扱いが容易であり得る。
【００３３】
身体照明装置１００は図に例示の通り複数の発光体１２０を有し得る。複数の発光体はアレイを形成するように配置され得る。以下、ただ一つの発光体１２０が論じられるが、文脈が他に要しない限り、発光体１２０の特徴は、存在する場合複数の発光体の一部若しくは全部に当てはまり得ることが理解されるべきである。
【００３４】
図１から３に図示の通り、少なくとも一つの膨張式構造要素は追加の膨張式構造要素１３０を含み得る。このように、構造は一つ以上の膨張式コンパートメントを持ってもよく、これらコンパートメントの一つ以上が発光体を備え得る。図２は二つのコンパートメントを伴うデザインを示す。追加の膨張式構造要素１３０は第一の膨張式構造要素１１０と同様若しくは同一であり得、第一の壁１３４を有する第一の膨張式チャンバ１３２を有する。発光体１２０はユーザ１０２へ光を供給するために当該第一の壁１３４上にあるか若しくは当該第一の壁１３４と一体的に形成され得る。追加の膨張式構造要素１３０は、一方の膨張式構造要素の膨張が他方の膨張を生じるように第一の膨張式構造要素１１０と流体連通し得る。代替的に、追加の膨張式構造要素１３０はその独自の個別の空気源を備え得る。この区画に分けられた構造は例えば改良された剛性を持つ。
【００３５】
図１から３はユーザ１０２の四肢まわりの身体照明装置１００を示す。実際、図１から３に例示される身体照明装置１００はユーザの四肢を囲むように適応される。具体的に、少なくとも一つの膨張式構造要素は使用中に腕若しくは脚を受けるようなサイズであり得る。構造を膨張させることによって、構造がそれ自体を四肢のサイズに適応させるように、四肢まわりにフィットする接触がもたらされる。
【００３６】
これもユーザ１０２にとって比較的快適な身体照明装置１００を提供することができ、具体的に、少なくとも一つの膨張式構造要素はユーザ１０２に均等な圧力を与えることができ、これは従来技術のユーザに身体照明装置を固定するための調節可能手段よりも快適であり得る。特に、従来技術の身体照明装置によって提供され得るピンチポイントが除去され得る。
【００３７】
さらに、図３に例示の通り、少なくとも一つの膨張式構造要素がしぼむとき、身体照明装置１００とユーザ１０２の四肢の間に大きなクリアランス１０４がある。これは装置１００がユーザ１０２上に都合よく快適に位置し固定されることを可能にし得る。身体照明装置１００とユーザ１０２の間の大きなクリアランス１０４は、損傷した皮膚、例えば乾癬によって損傷した皮膚を持つユーザにとって特に有利であり得る。特に、損傷した皮膚はぴったりした従来技術の身体照明装置の位置付けによって生じる摩擦に特に特に敏感であり得る。身体照明装置１００は、ユーザ１０２の皮膚と装置１００の間でほとんど若しくは全く摩擦なしに装置１００を適所に位置付けるために、図３に例示されるそのしぼんだ状態で位置付けられてから適所で膨張され得る（図１及び２に例示の通り）。従って、装置１００の使用はユーザ１０２の潜在的に敏感な皮膚により少ない摩擦損傷を生じ得るので、装置１００はユーザ１０２上に容易に取り付けられ得、優れた治療さえも提供し得る。
【００３８】
付加的に、少なくとも一つの膨張式構造要素の使用は、フリーサイズ形式で身体照明装置１００を提供することを実現可能にする。具体的に、従来技術の身体照明装置は異なる身体部位で使用可能な身体照明装置を提供するために比較的多数の型で提供される。例えば、従来技術は大腿部を治療するための第一の身体照明装置と前腕を治療するための異なる第二の身体照明装置を提供する。この全く異なる装置を提供する必要を回避するために、別々の身体照明装置と、ユーザに身体照明装置を固定するための追加の別の固定装置を提供することが従来技術から知られている。このようにして、異なる固定装置のみが必要とされ、異なる身体照明装置は必要ない。しかしながら、これは依然として異なるサイズの固定装置の提供を要する。少なくとも一つの膨張式構造要素の使用によって与えられ得る柔軟性により、身体照明装置１００はユーザ１０２の大腿部と前腕の両方を治療するために使用されることができるようなサイズになり得る。
【００３９】
フリーサイズ形式の提供は簡便さに加えて付加的な利点を提供し得る。例えば、装置がフリーサイズである場合、装置は様々な異なる治療のために使用され得る。具体的に、身体照明装置１００は多数の異なる身体部位において使用され得るので、別々の固定装置と治療装置を提供する必要がない。広範な身体部位において使用されることができる身体照明装置を提供するためにより少ない数の異なるサイズの装置１００が必要になるので、製造業者が提供する必要がある装置のサイズの数が削減される。これはより大きな規模の経済を提供し、故に身体照明装置１００がより費用効率よく提供されることを可能にし得る。
【００４０】
付加的に、フリーサイズ形式の提供は、消費者がより少ない異なる身体照明装置１００を区別する必要があるので、消費者購買決定をより容易にし得る。従って、かかる身体照明装置１００は在宅療法に特に適切であり得る。
【００４１】
装置１００はユーザ１０２の四肢、胴体、首若しくは頭の少なくとも一つを囲むように適応され、そして少なくとも一つの膨張式構造要素は使用中にユーザ１０２の四肢、胴体、首若しくは頭を囲み得る。例えば、図１から３に図示の通り、四肢は第一の膨張式構造要素１１０と追加の膨張式構造要素１３０によって囲まれる。構造の膨張はこのようにユーザへ必要な固定をもたらし、異なるユーザサイズに対応する。
【００４２】
図２に図示の通り、特に、第一の膨張式構造要素１１０は、光が第二の壁を通じてユーザ１０２へ供給され得るように光を透過する、第二の半径方向内壁１１６を有し得る。発光体１２０は第一の半径方向外壁１１４の内面１１５上にあるか、又は第一の壁１１４と一体的に形成され得る。
【００４３】
このように、発光体１２０はユーザ１０２から間隔をあける。従って、ユーザ１０２に達する発光体１２０からの熱の量が過剰にならないので、発光体１２０によって生成される熱はユーザ１０２にとって不快感を生じない。
【００４４】
図２及び３から明らかな通り、第一の壁１１４は第二の壁１１６に面する。これは光が発光体１２０からユーザ１０２の皮膚へ効率的に進むことを可能にし得る。
【００４５】
第一の膨張式構造要素１１０は光を反射する及び／又は拡散させるための反射体及び／又は拡散体をさらに有し、そのように反射された及び／又は拡散された光が第二の壁１１６を通じてユーザへ供給されることができるようになり得る。例えば図２に例示の通り、第一の膨張式構造要素１１０は、光が発光体１２０から第三の壁１１８に反射した後第二の壁１１６を通じてユーザへ進み得るように、反射する第三の壁１１８を有し得る。このようにより多くの光が発光体１２０からユーザ１０２へ進み得るので、装置１００はより大きな発光効率を持ち得る。別の実施例において、第一の膨張式構造要素１１０の第二の壁１１６は、複数の個別の発光体１２０が設けられる場合により均一な配光がユーザ１０２の皮膚上で生じ得るよう、拡散性であり得る。ユーザ１０２の皮膚上により均一な配光をもたらすことはユーザ１０２の皮膚の均一な治療を提供することができ、かかる均一な治療は特定の治療計画において望まれる場合がある。
【００４６】
勿論、少なくとも一つの膨張式構造要素のいかなる要素がかかる反射体及び／又は拡散体を有してもよく、例えば、追加の膨張式構造要素１３０が付加的に若しくは代替体的にかかる反射体及び／又は拡散体を有し得る。
【００４７】
身体照明装置１００は少なくとも一つの膨張式構造要素を膨張させるための空気ポンプ１５８をさらに有し得る。かかる空気ポンプ１５８は少なくとも一つの膨張式構造要素の容易な膨張を可能にし得る。身体照明装置１００がポンプ１５８を備えない場合、少なくとも一つの膨張式構造要素はいかなる他の手段によって膨張されてもよく、例えば膨張式要素は外部空気源への接続用の弁を備え得る。
【００４８】
少なくとも一つの膨張式構造要素は使用中にユーザを冷却するように配置される排気部を有し得る。例えば、少なくとも一つの膨張式構造要素は使用中にユーザ１０２に面する少なくとも一つの小さな穴を有し得る。身体照明装置１００が空気ポンプ１５８を有する場合、使用中に空気は少なくとも一つの膨張式構造要素へポンプで入れられ、そしてユーザ１０２の皮膚を通り過ぎて排気部から出る。かかる空気の流れはユーザ１０２の皮膚を冷却し得る（空気がユーザの皮膚よりも冷たいという条件で）。これは発光体１２０によって生じる加熱効果を軽減するのに役立ち得る。従って、ユーザ１０２により快適な経験を提供するために、発光体１２０の加熱効果が少なくとも部分的に削減され得る。
【００４９】
発光体１２０はソリッドステート照明素子を有し得る。特に、発光体は発光ダイオード（ＬＥＤ）を有し得る。
【００５０】
発光体１２０がソリッドステート照明素子を有する場合、ソリッドステート照明素子は第一の膨張式構造要素１１０の第一の壁１１４と一体的に形成され得る。
【００５１】
例えば、発光体１２０はスマートテキスタイル技術（Ｅ‐テキスタイル、電子テキスタイル若しくはスマートファブリック技術とよばれることもある）を用いて第一の壁１１４と一体的に形成され得る。スマートテキスタイル技術はソリッドステート照明素子、例えばＬＥＤなどの集積電子部品を伴うテキスタイルの形成を可能にする。
【００５２】
これは第一の膨張式構造要素１１０の第一の壁１１４が非常に均一なプロファイルを備えることを可能にし得る。従って、身体照明装置１００は少なくとも一つの膨張式構造要素が収縮されるとき、つまり装置１００がその保管若しくは取り付け構成にあるとき、滑らかなプロファイルを備えることもできる。
【００５３】
図１及び２に例示の通り、特に、身体照明装置１００は制御ボックス１５０をさらに有し得る。身体照明装置１００は制御ボックス１５０内に取り付けられ得るコントローラ１５２をさらに有し得る。コントローラ１５２は発光体１２０を駆動するための駆動回路とユーザインターフェース１５４を有し得る。代替的に、コントローラ１５２がユーザインターフェース１５４を有しない場合、コントローラ１５２は別の装置、例えば携帯電話など、無線接続されるモバイルコンピューティングデバイスの使用を通じてユーザとインターフェースし得る。上述の空気ポンプ１５８も制御ボックス１５０内に位置してもよい。
【００５４】
コントローラ１５２は様々な症状のための治療計画でプログラムされるか若しくはプログラム可能であり得る。例えば、計画は治療光の強度、治療光の波長及び／又は治療の期間を含み得る。
【００５５】
図４は身体照明装置１００の別の実施形態を例示し、この身体照明装置１００は図１から３に例示した装置１００と同様であり、従って相違点のみが記載され、同様の参照番号が使用される。
【００５６】
図４に図示の通り、少なくとも一つの膨張式構造要素はユーザ１０２と発光体１２０の間に熱クッションを提供するための第二の膨張式構造要素１４０をさらに有し得る。第二の膨張式構造要素１４０は少なくとも部分的に光を透過する。好適には、第二の膨張式構造要素１４０は処置することが望まれる皮膚疾患に最も有益な治療光の波長を少なくとも大部分透過する。
【００５７】
このように発光体を含む膨張可能コンパートメントの外側セットと膨張可能コンパートメントの内側セットがある。
【００５８】
従って、ユーザ１０２に達する発光体１２０からの熱の量は、図１から３に例示した上記身体照明装置と比較して削減され得、より快適な経験さえもがユーザ１０２に提供され得る。かかる第二の膨張式構造要素１４０は、高い発光出力を提供する発光体は高い熱出力も提供し得るので、発光体１２０が高発光出力を提供する場合に特に有利であり得る。
【００５９】
代替的に、第二の膨張式構造要素１４０は使用中膨張されなくてもよく、これは発光体１２０が使用中ユーザ１０２の皮膚により近づき、望まれるときにはより強い治療を提供し得ることを意味するが、この場合熱クッションは提供され得ない。従って、装置１００はより広範な身体照明計画に適し得る。
【００６０】
第二の膨張式構造要素１４０はより大きな発光効率とユーザ１０２の皮膚上のより均一な配光を提供するために光を反射する及び／又は拡散させるための反射体及び／又は拡散体をさらに有し得る。
【００６１】
第一の（外側）膨張式要素は腕若しくは脚の上に装置を取り付ける前に膨張され得る。装置が所望の場所に位置付けられると、装置を固定するために第二の膨張式要素が膨張され得る。この手順は取り付け／位置付けプロセスをより快適にし得る。
【００６２】
第二の膨張式構造要素１４０は、一方の膨張式構造要素の膨張が他方の膨張を生じるように第一の膨張式構造要素１１０と流体連通し得る。勿論、かかる流体連通は第二の膨張式構造要素１４０によって提供される熱クッションを完全に軽減するほど大きくなってはならない。代替的に、第二の膨張式構造要素１４０はその独自の個別の空気源、例えばポンプ１５８へのその独自の接続、その独自のポンプ、若しくは外部空気源への接続用のその独自の弁を備え得る。
【００６３】
身体照明装置１００が上記の通り使用中にユーザを冷却するように配置される排気部を有する場合、第二の膨張式構造要素１４０が排気部を有し得る。これも使用中にユーザ１０２を冷却する上述の利点を提供することができ、従ってユーザ１０２にとって特に快適な経験を提供し得る。
【００６４】
図５から８は身体照明装置１００の別の実施形態を例示し、この身体照明装置１００は図１から４に例示した上記装置１００と同様であるがより大きなスケールであり、従って相違点のみが詳細に記載され同様の参照番号が使用される。
【００６５】
身体照明装置１００はユーザ１０２を囲むように適応される。特に、図６に図示の通り、身体照明装置１００はユーザ１０２へ全身治療を提供するように適応され、身体照明装置１００はユーザ１０２がその中へ入って行くことができるキャビンを形成し得る。
【００６６】
この身体照明装置１００はこの実施例において、装置１００が容易に保管され得、（身体照明装置が費用効率よく提供され得るように）装置１００が高価な構造部品を要さず、装置１００は取り扱いが容易であり得るという原則的利点を持つ。
【００６７】
さらに、従来技術の光治療キャビンは使用しないときでも多くの床面積を占める特にかさばり、重く、高価な装置であり、従って図５から８に例示した装置１００はかかる従来技術の光治療キャビンと比較するとき、特に保管が容易であり得る。付加的に、従来技術の光治療キャビンは設置にかなりの費用を要し、これは従来技術の光治療キャビンの家庭使用が特に実現可能でないことを意味する。しかしながら、装置１００の家庭使用は、その設置の容易さ、比較的軽量であること、上述のその他の利点を考えると、特に実現可能であり得る。なおさらに、身体照明装置１００は少なくとも一つの膨張式構造要素を収縮させることによって比較的コンパクトな状態で保管され得る。
【００６８】
少なくとも一つの膨張式構造要素はこの場合、典型的には第一の構造要素１１０と追加の構造要素１３０を有する膨張式構造要素のセットを有する。上述の通り、追加の膨張式構造要素１３０は第一の膨張式構造要素１１０と同様若しくは同一であり得る。
【００６９】
特に図７を参照すると、上述と同様に、第一の膨張式構造要素１１０は光が第二の壁１１６を通じてユーザ１０２へ供給され得るように光を透過する第二の壁１１６を有し得る。発光体１２０も第一の壁１１４の内面１１５上にあるか若しくは第一の壁１１４と一体的に形成され得る。上述の通りこれは発光体１２０がユーザ１０２と間隔をあけることを意味する。従って、ユーザ１０２に達する発光体１２０からの熱の量は過剰にならず、従って使用中ユーザ１０２に不快感を生じない。特にキャビンの内壁はユーザから間隔をあけているので、発光体は代わりに図５に図示の通り内壁上にあってもよい。キャビンは前の実施例のようにユーザに固定するのではなく地面に自立する。
【００７０】
図７から明らかな通り、第一の壁１１４は第二の壁１１６に面する。これは光が発光体１０２からユーザ１０２の皮膚へ効率的に進むことを可能にし得る。
【００７１】
第一の膨張式構造要素１１０は、そのように反射された及び／又は拡散された光が第二の壁１１６を通じてユーザへ供給され得るように光を反射する及び／又は拡散させるための反射体及び／又は拡散体をさらに有し得る。例えば、図７に例示の通り、第一の膨張式構造要素１１０は、光が発光体１２０から第三の壁１１８に反射した後第二の壁１１６を通じてユーザへと進み得るよう、反射する第三の壁１１８を有し得る。別の実施例において、第一の膨張式構造要素１１０の第二の壁１１６は、複数の個別の発光体１２０が設けられる場合により均一な配光がユーザ１０２の皮膚上に生じ得るように、拡散性であり得る。上述の通り、これらの特徴はより大きな発光効率及び／又はユーザ１０２の皮膚上のより均一な配光を提供し得る。
【００７２】
勿論少なくとも一つの膨張式構造要素のいかなる要素がかかる反射体及び／又は拡散体を有してもよく、例えば追加の膨張式構造要素１３０が付加的に若しくは代替的にかかる反射体及び／又は拡散体を有し得る。
【００７３】
図８は身体照明装置１００内からのユーザ１０２の視点からの第一の膨張式構造要素１１０の一部の別の図を図示する。第一の膨張式構造要素１１０は第二の壁１１６を持つものとして例示される。第二の壁１１６は透明であるか若しくは透明窓（図５に１１６'と示される）を含み、第一の壁１１４上の発光体１２０は第二の壁１１６を通じて目に見える。
【００７４】
身体照明装置１００は先と同様に少なくとも一つの膨張式構造要素を膨張させるための空気プンプ１５８をさらに有し得る。空気ポンプ１５８は、かかる装置１００が比較的大きな膨張式構造要素を有し得るので、身体照明装置１００がユーザを囲むように適応される場合特に有利であり得る。明らかに、空気ポンプ１５８を設けることによって得られる利点はより大きな膨張式構造要素を有する装置１００ほど大きくなり得る。
【００７５】
図５に図示の通り、少なくとも一つの膨張式構造要素は使用中にユーザを冷却するように配置される排気部１６０を有し得る。上記の通り、少なくとも一つの膨張式構造要素は使用中にユーザ１０２に面する少なくとも一つの小さな穴１６０を有し得る。身体照明装置１００が空気ポンプ１５８を有する場合、使用中空気は少なくとも一つの膨張式構造要素へポンプで入れられ、そしてユーザ１０２の皮膚を通り過ぎて排気部から出る。また上記の通り、かかる空気の流れはユーザ１０２の皮膚を冷却し、従って使用中により快適な身体照明装置１００を提供し得る。
【００７６】
発光体１２０は上記の通りであり得る。特に、発光体はソリッドステート照明素子、例えば発光ダイオード（ＬＥＤ）を有してもよく、ソリッドステート照明素子は第一の膨張式構造要素１１０の第一の壁１１４と一体的に形成され得る（例えばスマートテキスタイル技術を用いて）。これは上述の利点を提供し得る。
【００７７】
上述の通り、図５から８の装置１００は上記と同様のコントローラ１５２も有し得る。
【００７８】
図４を参照して上述したのと同様に、図５から８に例示した装置１００の少なくとも一つの膨張式構造要素はユーザ１０２と発光体１２０の間に熱クッションを提供するために第二の膨張式構造要素をさらに有し得る。
【００７９】
図９は身体照明装置の代替実施形態を例示し、身体照明装置１００は図５から８を参照して記載したものと同様であり、従って相違点のみが記載され同様の参照番号が使用される。この実施形態において、第一の膨張式構造要素１１０の第一の壁１１４（すなわち発光体を含む方）は身体照明装置１００の基部にある。
【００８０】
上述の通り、第一の膨張式構造要素１１０は、そのように反射された及び／又は拡散された光が第二の壁１１６を通じてユーザへ供給され得るように、光を反射する及び／又は拡散させるための反射体及び／又は拡散体をさらに有し得る。
【００８１】
例えば、図９に例示の通り、第一の膨張式構造要素１１０は、光が発光体１２０から第三及び／又は第四の壁１１８、１１９に反射した後第二の壁１１６を通じてユーザへ進み得るよう、反射する第三の（後部の）壁１１８及び／又は第四の（上部の）壁１１９を有し得る。別の実施例において、第一の膨張式構造要素１１０の第二の壁１１６は、複数の個別の発光体１２０が設けられる場合により均一な配光がユーザ１０２の皮膚上に生じ得るよう、拡散性であり得る。上述の通り、これらの特徴はより大きな発光効率と、ユーザ１０２の皮膚上のより均一な配光を提供し得る。
【００８２】
さらに、例示の通り、これは発光体１２０が第一の膨張式構造要素１１０の基部に設けられることを可能にし得る。かかる配置は、第一の膨張式構造要素の基部は使用中地面の上にあり得るので、発光体１２０が第一の膨張式構造要素１１０の基部に設けられる場合、第一の膨張式構造要素１１０が発光体１２０の重量を支える必要がないので有利であり得る。さらに、照明のための電気配線が基部においてより小さな面積に含まれ、これはより費用効率のよいデザインである。その場合照明は剛性プリント回路基板上に設けられることができるので、膨張式チャンバの一つの壁が剛性になる。
【００８３】
勿論少なくとも一つの膨張式構造要素のいかなる要素がかかる反射体及び／又は拡散体を有してもよく、例えば追加の膨張式構造要素１３０が付加的に若しくは代替的にかかる反射体及び／又は拡散体を有し得る。
【００８４】
上記実施形態の全部に関して、発光体１２０の光出力は典型的には最大１００ｍＷ／ｃｍ２の強度で２８０ｎｍから１４００ｎｍの波長範囲である。発光体は治療される症状に応じてＵＶＢ（２８０ｎｍから３１５ｎｍ）、ＵＶＡ（３１５ｎｍから３８０ｎｍ若しくは３１５ｎｍから４００ｎｍ）、可視光（３８０ｎｍから７８０ｎｍ若しくは４００ｎｍから７８０ｎｍ）、特に青色光（４５０ｎｍから４９５ｎｍ）、及び／又はＩＲ‐Ａ（７８０ｎｍから１４００ｎｍ）の光を発し得る。発光体はＵＶＢスペクトルの長波部分（例えば３００及び３２０ｎｍ若しくは３０５ｎｍ及び３１５ｎｍの間）で発光し得る。特に関心のある範囲は４００ｎｍから６５０ｎｍである。例えば乾癬の治療に使用するためである。
【００８５】
少なくとも一つの膨張式構造要素の壁１１４、１３４はポリ塩化ビニル（ＰＶＣ）、テキスタイル強化ウレタンプラスチック及び／又はゴムなど、任意の適切な材料で作られ得る。
【００８６】
上記身体照明装置１００は以下のステップを有する治療の方法において使用するためのものである：
ユーザの少なくとも一部を囲むステップ、
少なくとも一つの膨張式構造要素１１０を膨張させるステップ、
発光体１２０へ電力を供給するステップ、
ユーザ１０２へ治療光を供給するステップ。
【００８７】
治療は、特に乾癬、湿疹、若しくは皮膚癌、又はユーザ１０２へ治療光を供給することによって治療され得る、任意の他の症状、例えば皮膚疾患の治療であり得る。
【００８８】
方法は少なくとも一つの膨張式構造要素を膨張させるステップと、身体照明装置１００を用いてユーザ１０２へ治療光を供給するステップを有する。
【００８９】
膨張可能な部分はサイズ及び所要の剛性に従って単一コンパートメント若しくは複数コンパートメントを有し得ることが上記実施例から理解される。同様に、発光体は患者への経路があるという条件で、いかなる面の上若しくは中に配置されることもでき、これは散乱媒質を通じた反射及び／又は透過を含み得る。
【００９０】
開示の実施形態への他の変更は、図面、開示、及び添付の請求項の考察から、請求される発明を実施する上で当業者によって理解されもたらされることができる。請求項において、"有する"という語は他の要素若しくはステップを除外せず、不定冠詞"ａ"若しくは"ａｎ"は複数を除外せず、ある要素若しくはステップの前の"第一の"という語は"第二の"若しくは追加のかかる要素若しくはステップの存否を示唆しない。特定の手段が相互に異なる従属請求項に列挙されるという単なる事実は、これら手段の組み合わせが有利に使用されることができないことを示さない。請求項における任意の参照符号は範囲を限定するものと解釈されてはならない。
【図１】
2017509422.tif 000003
【図２】
2017509422.tif 000004
【図３】
2017509422.tif 000005
【図４】
2017509422.tif 000006
【図５】
2017509422.tif 000007
【図６】
2017509422.tif 000008
【図７】
2017509422.tif 000009
【図８】
2017509422.tif 000010
【図９】
2017509422.tif 000011
【国際調査報告】
2017509422.tif 000012
2017509422.tif 000013
2017509422.tif 000014